(57)【要約】  【課題】空間を仕切ることが可能で、しかも仕切る部分の近傍においても圧迫感を受けることが少ないテーブルを提供する。  【解決手段】天板部１と天板部２を支持する脚部２とを備えてなり、天板部１は、主領域と、主領域の一方の端部に近接して設けられて主領域の端部を明確にする補助領域とを備えてなり、脚部２が、主領域とは背向する補助領域近傍において空間を仕切る壁体を備えてなるテーブル１００を用意する。  【選択図】図１
2006122645.tif 000002
【特許請求の範囲】
【請求項１】
天板部と天板部を支持する脚部とを備えてなり、
天板部は、主領域と、主領域の一方の端部に近接して設けられて主領域の端部を明確にする補助領域とを備えてなり、
脚部が、主領域とは背向する補助領域近傍において空間を仕切る壁体を備えてなるテーブル。
【請求項２】
補助領域は、形状、材質、色、質感及び高さの少なくとも一つが主領域とは異なるものである請求項１記載のテーブル。
【請求項３】
主領域が主天板からなり、補助領域が主天板の高さとは異なる高さに設けられる補助天板からなる請求項１記載のテーブル。
【請求項４】
補助天板は、その幅を主天板の幅より大なる寸法に設定してある請求項３記載のテーブル。
【請求項５】
主天板と補助天板との境界部分に、凹部が形成されてなる請求項３または４記載のテーブル。
【請求項６】
脚部が、天板部よりも上方の位置において空間を仕切る上部壁体を備えてなる請求項１、２、３、４または５記載のテーブル。
【請求項７】
脚部が、上部壁体と重なるように配置される書き込み可能なボードを着脱可能に備えてなる請求項６記載のテーブル。
【請求項８】
ボードが、ホワイトボードである請求項７記載のテーブル。
【請求項９】
脚部が、上部壁体と重なるように配置される映写スクリーンを着脱可能に備えてなる請求項６記載のテーブル。
【請求項１０】
脚部が、上部壁体と重なる位置に表示ディスプレイ装置を着脱可能に支持するディスプレイ装置支持部を備えてなる請求項６記載のテーブル。
【請求項１１】
前記上部壁体が、昇降可能である請求項６、７、８、９または１０記載のテーブル。
【請求項１２】
前記上部壁体が、書き込み可能なボードである請求項６、７、８、９、１０または１１記載のテーブル。
【請求項１３】
前記上部壁体が、映写スクリーンである請求項６、７、８、９、１０または１１記載のテーブル。
【請求項１４】
前記上部壁体が、表示ディスプレイ装置である請求項６、７、８、９、１０または１１記載のテーブル。
【請求項１５】
壁体の幅寸法が、主領域の幅寸法より大なる請求項１、２または３記載のテーブル。
【請求項１６】
前記天板の主領域が略矩形状をなすものであって、該主領域の前記壁体に対する姿勢を、短辺が前記壁体に対向する第１の取付姿勢と、長辺が前記壁体に対向する第２の取付姿勢とに選択的に変更できる請求項１、２、３、４、５、６、７、８、９、１０、１１、１２、１３、１４または１５記載のテーブル。
【発明の詳細な説明】
【技術分野】
【０００１】
本発明は、多用途空間を形成することが可能なテーブルに関するものである。
【背景技術】
【０００２】
来客室や会議室と言った、比較的使用頻度の低い専用領域（スペース）を常設しておくことは、それら以外の必要な領域を制限しなければならないために、会社の規模が小さくなるほど負担になる。このため、社員が常時使用する領域つまり執務領域とは空間的に仕切ることができ、しかも接客や社内の会議などに使用することができるスペースを形成し得る家具が求められている。
【０００３】
そこで、パーティションなどの間仕切りに机を連結し得るようにしたものが、例えば特許文献１に示されるように考案されている。この特許文献１の間仕切りは、机との連結部を着脱自在に設けておき、連結部を介して机を連結することにより起立状態を維持するように構成されている。このように、間仕切りに机を連結する構成であれば、机を配置する場所とその周辺の場所とを間仕切りにより区画することができ、脚部を設けなくとも間仕切りを起立させることができる。
【特許文献１】特開２００３−２４１５４号公報
【発明の開示】
【発明が解決しようとする課題】
【０００４】
ところで、上記の構成のものであると、間仕切りにより限られた空間を仕切ることが容易になるものの、例えば会議などで机に向かって着席する場合、間仕切りに近接する席では、間仕切りがあるために圧迫感を受けることがある。このため、机の端の方から順に詰めて着席しようとする場合に、着席する者に着席位置を任せておくと、圧迫感を受けないように間仕切りから必要以上に離れた位置に席を設けるようになるのが一般的である。
【０００５】
しかしながら、このように間仕切りから離れた位置に席を作ると、会議などに出席を予定している人数の席を確保することができなくなる可能性がでてくる。一方、予定している人数の席を確保すると、間仕切りの近くの席に座る者は、着席している間、間仕切りから圧迫感を受けることになり、落ち着かないものとなった。
【０００６】
そこで本発明は、以上のような問題に鑑みて、空間を仕切ることが可能で、しかも仕切る部分の近傍においても圧迫感を受けることが少ないテーブルを提供しようとするものである。
【課題を解決するための手段】
【０００７】
すなわち、本発明のテーブルは、天板部と天板部を支持する脚部とを備えてなり、天板部は、主領域と、主領域の一方の端部に近接して設けられて主領域の端部を明確にする補助領域とを備えてなり、脚部が、主領域とは背向する補助領域近傍において空間を仕切る壁体を備えてなることを特徴とする。
【０００８】
このような構成によれば、脚部を構成する壁体により仕切られた空間において、その仕切られる側に位置する補助領域により主領域の端部を的確に把握し得るものとなる。そのため、利用者は、主領域の端部から順に並んで着座するようになり、主領域に対して予定し得る最大の人数により利用することが可能になる。
【０００９】
しかも、主領域の端部に面して着座しても、補助領域が主領域の端部に近接して設けてあるために、主領域の端部であっても脚部を構成する壁体により圧迫感を受けることがない。したがって、補助領域は、利用者に対して、主領域の端部に面して着座することを促進するように作用するとともに、その位置での座り心地を向上させることが可能になる。
【００１０】
補助領域の認識性を高くするためには、補助領域は、形状、材質、色、質感及び高さの少なくとも一つが主領域とは異なるものであることが好ましい。具体的には、主領域が主天板からなり、補助領域が主天板の高さとは異なる高さに設けられる補助天板からなるものが挙げられる。この場合、補助天板は主天板より一段低い位置に設けて、主天板の端部が一瞥して把握し得るものが望ましい。
【００１１】
また、上記構成において、補助天板は、その幅を主天板の幅より大なる寸法に設定してあるものが好適である。このように、補助天板の幅を変えることにより、補助天板を可能な限り大きくして、使い勝手を向上させるものである。
【００１２】
主天板の端部に対する認識性を高くするためには、主天板と補助天板との境界部分に、凹部が形成されてなるものが好ましい。
【００１３】
テーブルが配置される空間の間仕切りをより明確にするためには、脚部が、天板部よりも上方の位置において空間を仕切る上部壁体を備えてなるものが好ましい。また、上部壁体の部分を有効利用するためには、脚部が、上部壁体と重なるように配置される書き込み可能なボードを着脱可能に備えてなるものが望ましい。このような構成の場合、ボードとしては、ホワイトボードが挙げられる。さらに、上部壁体の部分を有効利用できる構成としては、脚部または上部壁体が、映写スクリーンを着脱可能に備えてなるものも挙げられる。
【００１４】
より多様な使用の態様に対応可能にするには、前記上部壁体が、昇降可能であるものが好ましい。このようにすれば、前記上部壁体を下降させて全体を天板部の下方に収納し、間仕切りを取り除く使用態様を実現できる。
【００１５】
さらに多様な使用の態様に対応可能にするには、前記上部壁体が書き込み可能なボードであるボードであるものや、前記上部壁体が映写スクリーンであるものや、前記上部壁体が表示ディスプレイ装置であるものが好ましい。なお、「表示ディスプレイ装置」とは、液晶ディスプレイやプラズマディスプレイ等、ディスプレイ画面を有する表示装置全般を含む概念である。
【００１６】
間仕切りの効果を高くするためには、壁体の幅寸法が、主領域の幅寸法より大なるものが好適である。
【００１７】
より多様な使用の態様に対応可能にするには、前記天板の主領域が略矩形状をなすものであって、該主領域の前記壁体に対する姿勢を、短辺が前記壁体に対向する第１の取付姿勢と、長辺が前記壁体に対向する第２の取付姿勢とに選択的に変更できるものも好ましい。
【発明の効果】
【００１８】
本発明は、以上説明したような構成であるので、以下に記載するような効果を奏する。
【００１９】
すなわち、本発明のテーブルは、脚部を構成する壁体により仕切られた空間において、その仕切られる側に位置する補助領域により主領域の端部を的確に把握し得るものとなるため、利用者は、主領域の端部から順に並んで着座するようになり、主領域に対して予定し得る最大の人数により利用することができる。
【００２０】
しかも、主領域の端部に面して着座しても、補助領域が主領域の端部に近接して設けてあるために、主領域の端部であっても脚部を構成する壁体により圧迫感を受けることがなく、補助領域は、利用者に対して、主領域の端部に面して着座することを促進するように作用するとともに、その位置での座り心地を向上させることができる。
【発明を実施するための最良の形態】
【００２１】
以下、本発明の一実施形態を、図１から図４を参照して説明する。
【００２２】
この実施形態のテーブル１００は、天板部１と天板部１を支持する脚部２とを備えており、例えば執務領域（空間）から切り離して形成される多用途領域（空間）を形成するように設置されるものである。
【００２３】
天板部１は、主領域を構成する主天板１１と、補助領域を構成する補助天板１２とからなるものである。この実施形態では、天板部１は、補助天板１２の高さ、形状及びその幅寸法を主天板１１とは相違させることにより、主領域の一方の端部つまり主天板１１のコーナー部１１ａが明確に把握し得るように構成したものである。主天板１１は、平面視ほぼ長方形の平板で構成され、そのコーナー部１１ａが丸められた形状をしている。そして、主天板１１は、補助天板１２に比較して、十分に大なる奥行き寸法を有しているものである。この主天板１１は、その幅寸法が後述する脚部２の下部壁体２２の幅より小であり、下部壁体２２に対して幅方向の中央を一致させて配置されるものである。
【００２４】
一方、補助天板１２は、主天板１１の長手方向の一方のコーナー部１１ａ側の縁部１１ｂに連続するようにして設けられるもので、この実施形態においては、主天板１１の長手方向において、主天板１１から遠ざかる方向に幅が広がる平面視ほぼ台形形状の平板で構成される。そして、補助天板１２は、主天板１１と重なる側の縁部１２ｂの幅寸法が主天板１１の幅寸法より小なるものの、後述する脚部２の上部壁体２４側の縁部１２ｃにおいてはその幅寸法が主天板１１より十分に大なるものにしてある。このように、補助天板１２の形状は、主天板１１の形状とは全く異なるものにしてある。
【００２５】
この実施形態においては、主天板１１と補助天板１２との床面からの高さが異なる構成である。具体的には、補助天板１２が主天板１１よりも主天板１１の厚み分だけ低い位置に取り付けてある。つまり、補助天板１２の上面１２ａが主天板１１の上面１１ｃより下側に位置して、言い換えれば補助天板１２の上面１２ａの上に主天板１１が密着して重ね合わされており、補助天板１２と主天板１１との間には段差が形成されるものである。また、この実施形態においては、主天板１１と補助天板１２との境界部分ＲＢ、つまり主天板１１と補助天板１２との重ね合わせ部分の側方に主天板１１と補助天板１２との幅の相違に基づいて平面視天板部１の内方に向けて凹部３が形成される。
【００２６】
脚部２は、円柱脚体２１と、天板部１の下側に位置して主天板１１とは背向する補助天板１２近傍において空間を仕切る壁体としての下部壁体２２と、円柱脚体２１と下部壁体２２とを連結する支持フレーム２３と、下部壁体２２の上側、言い換えれば天板部１よりも上方の位置において空間を仕切る上部壁体２４とを備えてなる。この実施形態においては、下部壁体２２と上部壁体２４とで空間を仕切るものである。
【００２７】
円柱脚体２１は、円柱２１ａと、その円柱２１の下端に固定される円板２１ｂとからなる。円柱脚体２１は、天板部１の補助天板１２が配置される縁部１１ｂとは異なる縁部１１ｄの近傍において支持フレーム２３に連結されて、主天板１１の幅方向のほぼ中央位置において主天板１１を支持するものである。このように、下部壁体２２とは反対側において主天板１１の縁部近傍を円柱脚体２１により支持することにより、主天板１１の下方に空間を仕切るものをなくすことができるため、主天板１１に沿って補助天板１２側に移動する際などに利用者の脚の下肢部に対する障害物が少なくなり、使い勝手を向上させるものである。
【００２８】
下部壁体２２は、主天板１１の幅寸法より大なる幅寸法を有している。この下部壁体２２は、左右で対をなす縦部材２２ａと、縦部材２２ａの上端を連結する上横部材２２ｂと、縦部材２２ａの下端を連結する下横部材２２ｃと、縦部材２２ａと上横部材２２ｂと下横部材２２ｃとで支持されるパネル部材２２ｄと、それぞれの縦部材２２ａに取り付けられる棚板受け部材２２ｅと、棚板２２ｆと、高さ調整部材２２ｇと、ボード部２５とを備えてなる。この下部壁体２２は、円柱脚体２１に対して他方の脚体として機能するとともに、棚の後板として機能する。棚板２２ｆは、補助天板１２と同等のもので、棚板受け部材２２ｅにより高さを変更し得るように取り付けられる。
【００２９】
ボード部２５は、横部材２２ｂの補助天板１２側の面に下端が固定される２本の取付柱２５ａと、その取付柱２５ａの上端部分に固定される上レール部材２５ｂと、天板部１より上の高さ位置に固定される下レール部材２５ｃと、上レール部材２５ｂと下レール部材２５ｃとに支持されるボードたるホワイトボード２５ｄとを備えている。この実施形態においては、上レール部材２５ｂと下レール部材２５ｃとは、２枚のホワイトボード２５ｄを支持することができるように、長手方向に延びる平行な２本の溝を備える構成である。このような構成の上レール部材２５ｂと下レール部材２５ｃとは、ホワイトボード２５ｄを持ち上げることによりホワイトボード２５ｄが上レール部材２５ｂと下レール部材２５ｃとの間から取り外せるようにその間隔を設定して取付柱２５ａに固定してあり、左右方向に摺動移動し得るようにもなっている。このために、ホワイトボード２５ｄの上縁には、両端部より若干低くなった低縁部２５ｄａを設けてある。この低縁部２５ｄａは、上レール部材２５ｂの長さより長くしてあり、取り外そうとするホワイトボード２５ｄがいずれか一方の側端側に完全に偏っていない、言い換えれば低縁部２５ｄａ以外の上縁が上レール部材２５ｂにかかっていない限り、ホワイトボード２５ｄを取り外すことができるように設定してある。また、ホワイトボード２５ｄは、表裏二面において書き込みが可能な構成である。
【００３０】
支持フレーム２３は、下部壁体２２の横部材２２ｂに一方の端部が連結される２本の長尺部材２３ａと、長尺部材２３ａの他方の端部を連結する連結部材２３ｂとを備えてなる。長尺部材２３ａは、連結部材２３ｂに垂直に取り付けられて、主天板１１及び補助天板１２をその奥行き方向に沿って支持するもので、主天板１１の幅寸法にあわせた間隔をあけて平行に配置される。また、長尺部材２３ａは、補助天板１２の上面１２ａが、下部脚体２２の横部材２２ｂの上面２２ｂａとほぼ面一になるように、その取付高さを調整してある。これに対応して、連結部材２３ｂは、その上面つまり主天板１１を支持する面が、長尺部材２３ａの上面つまり補助天板１２を支持する面より、補助天板１２の厚み分だけ高くなるようにしてある。
【００３１】
上部壁体２４は、パネル部材２４ａと、そのパネル部材２４ａの縁部に取り付けられる枠部材２４ｂとを備えてなる。この上部壁体２４は、下部壁体２２より僅かに小なる幅寸法のもので、枠部材２４ｂの縦枠２４ｂａを下部壁体２２の縦部材２２ａに固定して、下部壁体２２の横部材２２ｂの幅方向のほぼ中央に位置するように取り付けられるものである。パネル部材２４ａは、室内の空間を仕切った際に、その周囲部分が暗くならないように、またその一方で主天板１１に面して着席している利用者の注意力が散漫にならないように、半透明の例えば乳白色のプラスチック板素材を用いるものである。なお、このような上部壁体２４は、このようなプラスチック板素材を用いたパネル部材２４ａを使用するもの以外に、オフィスなどで多用されるパーティションなど間仕切りに用いられる家具において用いられる構造を適用するものであってよい。
【００３２】
このような構成において、このテーブル１００は、室内に種々の状況に合わせて使用が可能な領域を形成するために配置される。具体的には、例えば室内を執務領域とそれ以外の多用途領域とに仕切る場合に、テーブル１００の主天板１１及び補助天板１２が多用途領域に位置するように、すなわち下部壁体２２及び上部壁体２４の天板部１が無い方の面を執務領域に対面させて配置するものである。そして下部壁体２２及び上部壁体２４により室内が仕切られた状態で、接客、会議、食事などの異なる状況において、執務領域とは隔離された状態で主天板１１及び補助天板１２を使用し得るものである。この場合に、上部壁体２４は半透明の素材により構成されているので、周囲の光を完全に遮ることなく、しかもテーブル１００を使用している利用者を明確に認識することが不可能にして、採光と間仕切りとを両立させるものである。
【００３３】
この実施形態においては、主天板１１と補助天板１２とは、その縁部１１ｂ、１２ｂを重ね合わせて支持フレーム２３に支持されている。また、補助天板１２の幅がその縁部１２ｂから遠ざかるにしたがって大きくなることにより、主天板１１と補助天板１２との境界部分ＲＢには凹部３が形成される。このように凹部３が形成されることによって、主領域したがって主天板１１のコーナー部１１ａをより一層容易に認識することができるようになっている。
【００３４】
上述したように、補助天板１２は、その上面１２ａが、主天板１１の上面１１ｃより主天板１１の厚み分だけ下側に位置している。これによって、補助天板１２と主天板１１との間に段差が生じているため、テーブル１００を使用する場合、具体的には多人数で端から詰めて着席する必要がある場合などでは、主天板１１と補助天板１２との間にこのような段差が形成されていることにより、主天板１１のコーナー部１１ａの認識が容易になり、主天板１１のコーナー部１１ａに面して着席するように利用者を誘導することができる。しかも、主天板１１と補助天板１２との境界部分ＲＢに主天板１１と補助天板１２との幅の相違に基づいて凹部３が形成されるので、より明確に主天板１１のコーナー部１１ａを認識することができる。加えて、主天板１１のコーナー部１１ａに面して着席しても、補助天板１２があることにより、上部壁体２４が着座位置の近傍にあっても、精神的に圧迫感を受けることを軽減することができる。
【００３５】
また、補助天板１２が主天板１１より一段下がっていることにより、打ち合わせなどを行う場合に、例えば資料を主天板１１の上に置き、飲み物などを補助天板１２に置けば、飲み物を倒して資料などを汚すと言った不都合を引き起こすことなく打ち合わせなどを行うことができる。また、このように補助天板１２を活用することにより、主天板１１を効率よく、しかも最大限に広く使用することができる。
【００３６】
さらに、ホワイトボード２５ｄは、二枚が重なり合って、しかもスライド移動及び取り外し可能に支持されて上部壁体２４の天板部１側に配置されているので、会議などの場合に多くの情報を書き込むことができる。また、ホワイトボード２５ｄは表裏二面に書き込みが可能であり、しかも取り外しが可能であるので、不意の来客時などには、裏返すことによって、それまでの使用において書き込んだ書き込みを消すことなく隠すことができる。
【００３７】
なお、本発明は、上記実施形態に限定されるものではない。
【００３８】
上記実施形態においては、主領域を構成する主天板１１と補助領域を構成する補助天板１２とを異なる形状で、かつ床面からの異なる高さ位置に配置したものを説明したが、両者の色、質感あるいは材質が異なるもので構成するものであってよい。具体的には、例えば、主天板１１を灰色に着色し補助天板１２を黒色に着色する、主天板１１を木質調に構成し補助天板１２を金属あるいはプラスチックを連想させる質感とする、主天板１１を木製として補助天板１２を金属製とする、などである。なお、色、質感あるいは材質については、例示したものに限定されるものではなく、主領域と補助領域との区別が容易につくように、設定すればよい。また、このような高さ、形状、色、質感あるいは材質の相違は、単独であるいは高さと形状、高さと形状と色と、と言うようにそれぞれを組み合わせて適用するものであってよい。
【００３９】
この場合に、上記実施形態において説明したもののように、主天板１１と補助天板１２とが別体ではなく、主領域と補助領域とを構成する主天板と補助天板とが一体のものであってもよい。このように、主領域と補助領域とを一体にしたものにおいて、両者の境界部分に平面視で凹部を形成しておき、主領域の端部を明確にすればよい。また、このような主天板と補助天板とが一体のものでは、形状、色、質感を異ならせるものが製造を容易にするものである。
【００４０】
また、例えば会議などに利用する頻度が少ない部署に設置されるものでは、ボード部２５のホワイトボード２５ｄを１枚構成にする、あるいはボード部２５自体を省略する構成にするものであってもよい。ボード部２５を省略した構成にあっては、補助天板１２の上方に棚を設ける構成であってもよい。さらに、例えば執務領域との間の距離を大きく取れる場合などにおいては、上部壁体２４及びボード部２５がない構成にするものであってもよい。このように上部壁体２４及びボード部２５を省略した構成の者であっても、下部壁体２２がその幅寸法を主天板１１の幅寸法より大きく設定されていることにより、領域を仕切る機能自体は上記実施形態のものと変わらないものである。
【００４１】
さらに、ホワイトボードを利用して形成した前記ボード部２５に代えて、黒板を利用して形成したボード部を脚部２に備えるようにしてももちろんよい。
【００４２】
加えて、前記ボード部２５のホワイトボード２５ｄの表面に、映写スクリーンとしても兼用できるようにすべくエンボス加工を施す態様ももちろん考えられる。
【００４３】
一方、本発明に係るテーブルとしては、図５に示すように、上述した実施形態における脚部２が、上部壁体２４と重なるように配置される映写スクリーンを着脱可能に備えてなるものももちろん含まれる。このようなものの具体例として、例えば、前記上部壁体２４に、巻き取り可能な映写スクリーンＳＣを取付可能なフック状の映写スクリーン取付部７を形成しておくものが考えられる。さらに、前記上部壁体２４に巻き取り可能な映写スクリーンを固着しておくもの等も考えられる。
【００４４】
さらに、本発明に係るテーブルとしては、上述した実施形態における脚部２、具体的には前記上部壁体２４または下部壁体２２に、液晶ディスプレイやプラズマディスプレイに代表される表示ディスプレイ装置を着脱可能に取り付け可能なディスプレイ装置取付部を備えたものももちろん含まれる。このようなディスプレイ装置取付部として、例えば、図６に示すように、前記上部壁体２４に当接した状態に固定して取り付けられ下方から表示ディスプレイ装置を支持する取付金具８１を利用して形成したディスプレイ装置取付部８が考えられる。また、図示はしないが、下端部を下部壁体２２に支持させ上端部に表示ディスプレイ装置ＤＰを取り付けるディスプレイ取付具等を利用して形成したもの等が考えられる。
【００４５】
さらに、本発明に係るテーブルとしては、上記実施形態に述べたような、上部壁体及びボード部がそれぞれ別体をなすとともに、これら上部壁体及びボード部の下端を下部壁体にそれぞれ支持させる態様のもの以外に、図７に示すように、上部壁体そのものを書き込み可能なボード、例えばホワイトボードとして使用可能に構成する態様のものももちろん含まれる。前記ホワイトボードには、板面にエンボス加工を施し、該板面を映写スクリーンとしても兼用可能なものももちろん含まれる。
【００４６】
また、下部壁体に映写スクリーンとして使用可能な上部壁体を支持させるものももちろん含まれる。
【００４７】
加えて、図８に全体斜視図、図９に分解斜視図をそれぞれ示すように、上部壁体２４０が、全体が天板部の下方に位置する収納位置と、この収納位置よりも上方に位置する使用位置との間で昇降可能な構成を有するものももちろん含まれる。なお、前記図８において、上部壁体２４０を前記収納位置に配した状態を実線、上部壁体２４０を前記使用位置に配した状態を想像線によりそれぞれ示している。
【００４８】
具体的には、例えば、前記図９、及び図８における要部の平断面図である図１０に示すように、上部壁体２４０を、左右１対をなす支柱２４０１ａ、前記支柱２４０１ａの上端部間を接続する上枠２４０１ｂ、及び前記支柱２４０１ａの下部間を接続する下枠２４０１ｃからなる枠部材２４０１と、支柱２４０１ａ間に位置して支柱２４０１ａに左右両端を支持させてなる面板部２４０２とを具備するものにしているとともに、上部壁体２４０と下部壁体２２との間に介在し、前記上部壁体２４０を高さ位置を変更可能に支持する上部壁体支持機構９を設ける態様が考えられる。
【００４９】
さらに詳述すると、上部壁体支持機構９は、例えば、前記支柱２４０１ａに高さ方向に離間させて複数設けた支持具挿通孔９１と、前記下部壁体２２に設けた雌ねじ孔９２と、前記支持具挿通孔９１を通過し前記雌ねじ孔９２に螺着してなる雄ねじ部９３１を有する支持具９３と、前記下部壁体２２の縦部材２２ａ及び上横部材２２ｂに連通して設けられ上部壁体２４０を挿入可能なスリット２２ｓとを具備する。
【００５０】
前記上部壁体２４０の高さ位置を変更する際には、まず、前記支持具９３の雄ねじ部９３１を前記雌ねじ孔９２に螺着した状態を解消し、次いで、上部壁体２４０を昇降させる。それから、前記支持具９３の雄ねじ部９３１を、前記支持具挿通孔９１に挿通させ、そして、前記雄ねじ部９３１を前記雌ねじ孔９２に螺着するようにしている。
【００５１】
そして、本発明に係るテーブルとしては、平面図を図１１に示すように、前記天板の主領域の前記壁体に対する姿勢を、短辺が前記壁体に対向する第１の取付姿勢Ｘと、長辺が前記壁体に対向する第２の取付姿勢Ｙとに選択的に変更できるものも含まれうる。なお、前記図１１において、前記天板の主領域が前記第１の取付姿勢Ｘにある状態を実線、前記天板の主領域が前記第２の取付姿勢Ｙにある状態を想像線によりそれぞれ示している。
【００５２】
具体的には、図示はしないが、脚部に形成したねじ挿通孔と、天板の主領域の裏面側に形成した雌ねじ穴と、前記ねじ挿通孔及び雌ねじ穴が重合した状態で前記ねじ挿通孔を通過し前記雌ねじ穴に螺着してなる雄ねじ部材を利用して形成し、前記天板の主領域が前記第２の取付姿勢をとるように支持可能な天板支持機構を上述した実施形態におけるテーブルにさらに設ける態様が考えられる。また、これも図示はしないが、脚部と天板の主領域との間に、天板の主領域を回転可能に支持するとともに、天板の主領域を前記第１の取付姿勢又は前記第２の取付姿勢のいずれか一方に選択的にロック可能な天板支持機構を上述した実施形態におけるテーブルにさらに設ける態様も考えられる。
【００５３】
その他、各部の具体的構成についても上記実施形態に限られるものではなく、本発明の趣旨を逸脱しない範囲で種々変形が可能である。
【図面の簡単な説明】
【００５４】
【図１】本発明の実施形態の斜視図。
【図２】同実施形態の正面図。
【図３】同実施形態の平面図。
【図４】同実施形態の側面図。
【図５】本発明の他の実施形態の全体斜視図。
【図６】本発明のさらに他の実施形態の全体斜視図。
【図７】本発明のさらに他の実施形態の全体斜視図。
【図８】本発明のさらに他の実施形態の全体斜視図。
【図９】同実施形態の分解斜視図。
【図１０】図８における要部の平断面図
【図１１】本発明のさらに他の実施形態の平面図。
【符号の説明】
【００５５】
１…天板部
２…脚部
１１…主天板
１１ａ…端部
１２…補助天板
２２…下部壁体
【図１】
2006122645.tif 000003
【図２】
2006122645.tif 000004
【図３】
2006122645.tif 000005
【図４】
2006122645.tif 000006
【図５】
2006122645.tif 000007
【図６】
2006122645.tif 000008
【図７】
2006122645.tif 000009
【図８】
2006122645.tif 000010
【図９】
2006122645.tif 000011
【図１０】
2006122645.tif 000012
【図１１】
2006122645.tif 000013